【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
ユーザ識別情報を管理するサーバと通信可能であり、記憶媒体を読み取る読取手段を備え、ユーザの操作によってユーザ識別情報の入力を受け付ける画像形成装置であって、
前記サーバから、前記読取手段での記憶媒体の読み取りにより得られるユーザ識別情報を用いた認証をせず、該画像形成装置の操作部に対するユーザの操作に応じて認証を行うべきユーザのユーザ識別情報を受信する受信手段と、
前記受信手段で受信したユーザ識別情報の一覧を記憶するユーザ一覧記憶手段と、
ユーザの操作による認証に用いられる情報の入力において、ユーザの操作によってユーザ識別情報の入力を受け付けるように、前記ユーザ一覧記憶手段で記憶するユーザ識別情報一覧を表示部に表示するユーザ一覧表示手段と、
前記ユーザ一覧表示手段で表示されたユーザ識別情報一覧から、ユーザの操作に応じてユーザ識別情報を選択する選択手段と、
前記選択手段で選択されたユーザ識別情報を用いて、前記サーバに認証要求する第１の認証要求手段と
を備えることを特徴とする画像形成装置。
【請求項２】
前記読取手段で記憶媒体を読み取って認証要求する第２の認証要求手段と、
前記第２の認証要求手段による認証要求の認証結果を取得する認証結果取得手段と
を更に備え、
前記ユーザ一覧表示手段は、前記認証結果取得手段で取得した認証結果に従って、認証が失敗したと判定される場合に、ユーザの操作による認証に用いられる情報の入力において、前記ユーザ識別情報一覧を表示することを特徴とする請求項１に記載の画像形成装置。
【請求項３】
前記認証結果取得手段で取得した認証結果に従って、認証が失敗したと判定される場合に、前記記憶媒体を読み取ることで得られた記憶媒体識別情報を前記選択手段で選択されたユーザ識別情報と対応付けて登録することで、当該記憶媒体による画像形成装置の利用を可能にするべく、前記記憶媒体識別情報と前記ユーザ識別情報を含む登録要求を出力する登録要求手段
を更に備えることを特徴とする請求項２に記載の画像形成装置。
【請求項４】
前記登録要求手段で登録要求の出力に従って、前記ユーザ識別情報一覧から、登録要求に含まれるユーザ識別情報を削除する削除手段を
更に備えることを特徴とする請求項３に記載の画像形成装置。
【請求項５】
前記受信手段で受信したユーザ識別情報は、記憶媒体によるユーザの入室情報と、情報処理装置へのユーザのログイン情報とを比較することにより特定される、記憶媒体による入室情報のないユーザのユーザ識別情報であることを特徴とする請求項１乃至４のいずれか１項に記載の画像形成装置。
【請求項６】
パスワードの入力を受け付けるパスワード入力手段を更に備え、
前記第１の認証要求手段は、前記選択手段でユーザ識別情報一覧から選択されたユーザ識別情報と、前記パスワード入力手段で受け付けたパスワードを含む認証要求を前記サーバに送信することを特徴とする請求項１乃至５のいずれか１項に記載の画像形成装置。
【請求項７】
前記サーバは、ユーザの操作により画像形成装置に入力されたユーザ識別情報、又は、記憶媒体による認証を行うための認証装置であり、当該認証装置と通信可能に接続されることを特徴とする請求項１乃至６のいずれか１項に記載の画像形成装置。
【請求項８】
ユーザ識別情報を管理するサーバと、記憶媒体を読み取る読取手段を備え、ユーザの操作によってユーザ識別情報の入力を受け付ける画像形成装置とを含む認証システムであって、
前記画像形成装置は、
前記サーバから、前記読取手段での記憶媒体の読み取りにより得られるユーザ識別情報を用いた認証をせず、該画像形成装置の操作部に対するユーザの操作に応じて認証を行うべきユーザのユーザ識別情報を受信する受信手段と、
前記受信手段で受信したユーザ識別情報の一覧を記憶するユーザ一覧記憶手段と、
ユーザの操作による認証に用いられる情報の入力において、ユーザの操作によってユーザ識別情報の入力を受け付けるように、前記ユーザ一覧記憶手段で記憶するユーザ識別情報一覧を表示部に表示するユーザ一覧表示手段と、
前記ユーザ一覧表示手段で表示されたユーザ識別情報一覧から、ユーザの操作に応じてユーザ識別情報を選択する選択手段と、
前記選択手段で選択されたユーザ識別情報を用いて、前記サーバに認証要求する第１の認証要求手段と
を備え、
前記サーバは、
前記読取手段での記憶媒体の読み取りにより得られるユーザ識別情報を用いた認証をせず、該画像形成装置の操作部に対するユーザの操作に応じて認証を行うべきユーザのユーザ識別情報を送信する送信手段と、
前記画像形成装置から前記認証要求を受信する認証要求受信手段と、
前記認証要求に従って、認証する認証手段と
を備えることを特徴とする認証システム。
【請求項９】
ユーザ識別情報を管理するサーバと通信可能であり、記憶媒体を読み取る読取手段を備え、ユーザの操作によってユーザ識別情報の入力を受け付ける画像形成装置の認証方法であって、
前記画像形成装置が、
前記サーバから、前記読取手段での記憶媒体の読み取りにより得られるユーザ識別情報を用いた認証をせず、該画像形成装置の操作部に対するユーザの操作に応じて認証を行うべきユーザのユーザ識別情報を受信する受信ステップと、
前記受信ステップで受信したユーザ識別情報の一覧を記憶するユーザ一覧記憶ステップと、
ユーザの操作による認証に用いられる情報の入力において、ユーザの操作によってユーザ識別情報の入力を受け付けるように、前記ユーザ一覧記憶ステップで記憶するユーザ識別情報一覧を表示部に表示するユーザ一覧表示ステップと、
前記ユーザ一覧表示ステップで表示されたユーザ識別情報一覧から、ユーザの操作に応じてユーザ識別情報を選択する選択ステップと、
前記選択ステップで選択されたユーザ識別情報を用いて、前記サーバに認証要求する第１の認証要求ステップと
を実行することを特徴とする認証方法。
【請求項１０】
ユーザ識別情報を管理するサーバと、記憶媒体を読み取る読取手段を備え、ユーザの操作によってユーザ識別情報の入力を受け付ける画像形成装置とを含む認証システムにおける認証方法であって、
前記画像形成装置が、
前記サーバから、前記読取手段での記憶媒体の読み取りにより得られるユーザ識別情報を用いた認証をせず、該画像形成装置の操作部に対するユーザの操作に応じて認証を行うべきユーザのユーザ識別情報を受信する受信ステップと、
前記受信ステップで受信したユーザ識別情報の一覧を記憶するユーザ一覧記憶ステップと、
ユーザの操作による認証に用いられる情報の入力において、ユーザの操作によってユーザ識別情報の入力を受け付けるように、前記ユーザ一覧記憶ステップで記憶するユーザ識別情報一覧を表示部に表示するユーザ一覧表示ステップと、
前記ユーザ一覧表示ステップで表示されたユーザ識別情報一覧から、ユーザの操作に応じてユーザ識別情報を選択する選択ステップと、
前記選択ステップで選択されたユーザ識別情報を用いて、前記サーバに認証要求する第１の認証要求ステップと
を実行し、
前記サーバが、
前記読取手段での記憶媒体の読み取りにより得られるユーザ識別情報を用いた認証をせず、該画像形成装置の操作部に対するユーザの操作に応じて認証を行うべきユーザのユーザ識別情報を送信する送信ステップと、
前記画像形成装置から前記認証要求を受信する認証要求受信ステップと、
前記認証要求に従って、認証する認証ステップと
を実行することを特徴とする認証方法。
【請求項１１】
ユーザ識別情報を管理するサーバと通信可能であり、記憶媒体を読み取る読取手段を備え、ユーザの操作によってユーザ識別情報の入力を受け付ける画像形成装置で実行可能なプログラムであって、
前記画像形成装置を、
前記サーバから、前記読取手段での記憶媒体の読み取りにより得られるユーザ識別情報を用いた認証をせず、該画像形成装置の操作部に対するユーザの操作に応じて認証を行うべきユーザのユーザ識別情報を受信する受信手段と、
前記受信手段で受信したユーザ識別情報の一覧を記憶するユーザ一覧記憶手段と、
ユーザの操作による認証に用いられる情報の入力において、ユーザの操作によってユーザ識別情報の入力を受け付けるように、前記ユーザ一覧記憶手段で記憶するユーザ識別情報一覧を表示部に表示するユーザ一覧表示手段と、
前記ユーザ一覧表示手段で表示されたユーザ識別情報一覧から、ユーザの操作に応じてユーザ識別情報を選択する選択手段と、
前記選択手段で選択されたユーザ識別情報を用いて、前記サーバに認証要求する第１の認証要求手段
として機能させることを特徴とするプログラム。
【請求項１２】
ユーザ識別情報を管理するサーバと、記憶媒体を読み取る読取手段を備え、ユーザの操作によってユーザ識別情報の入力を受け付ける画像形成装置とを含む認証システムのプログラムであって、
前記画像形成装置を、
前記サーバから、前記読取手段での記憶媒体の読み取りにより得られるユーザ識別情報を用いた認証をせず、該画像形成装置の操作部に対するユーザの操作に応じて認証を行うべきユーザのユーザ識別情報を受信する受信手段と、
前記受信手段で受信したユーザ識別情報の一覧を記憶するユーザ一覧記憶手段と、
ユーザの操作による認証に用いられる情報の入力において、ユーザの操作によってユーザ識別情報の入力を受け付けるように、前記ユーザ一覧記憶手段で記憶するユーザ識別情報一覧を表示部に表示するユーザ一覧表示手段と、
前記ユーザ一覧表示手段で表示されたユーザ識別情報一覧から、ユーザの操作に応じてユーザ識別情報を選択する選択手段と、
前記選択手段で選択されたユーザ識別情報を用いて、前記サーバに認証要求する第１の認証要求手段
として機能させ、
前記サーバを、
前記読取手段での記憶媒体の読み取りにより得られるユーザ識別情報を用いた認証をせず、該画像形成装置の操作部に対するユーザの操作に応じて認証を行うべきユーザのユーザ識別情報を送信する送信手段と、
前記画像形成装置から前記認証要求を受信する認証要求受信手段と、
前記認証要求に従って、認証する認証手段
として機能させることを特徴とするプログラム。
【手続補正２】
【補正対象書類名】明細書
【補正対象項目名】００１０
【補正方法】変更
【補正の内容】
【００１０】
本発明の目的を達成するために、本発明は、ユーザ識別情報を管理するサーバと通信可能であり、記憶媒体を読み取る読取手段を備え、ユーザの操作によってユーザ識別情報の入力を受け付ける画像形成装置であって、前記サーバから、前記読取手段での記憶媒体の読み取りにより得られるユーザ識別情報を用いた認証をせず、該画像形成装置の操作部に対するユーザの操作に応じて認証を行うべきユーザのユーザ識別情報を受信する受信手段と、前記受信手段で受信したユーザ識別情報の一覧を記憶するユーザ一覧記憶手段と、ユーザの操作による認証に用いられる情報の入力において、ユーザの操作によってユーザ識別情報の入力を受け付けるように、前記ユーザ一覧記憶手段で記憶するユーザ識別情報一覧を表示部に表示するユーザ一覧表示手段と、前記ユーザ一覧表示手段で表示されたユーザ識別情報一覧から、ユーザの操作に応じてユーザ識別情報を選択する選択手段と、前記選択手段で選択されたユーザ識別情報を用いて、前記サーバに認証要求する第１の認証要求手段とを備えることを特徴とする。
【手続補正３】
【補正対象書類名】明細書
【補正対象項目名】００１１
【補正方法】変更
【補正の内容】
【００１１】
また、前記読取手段で記憶媒体を読み取って認証要求する第２の認証要求手段と、前記第２の認証要求手段による認証要求の認証結果を取得する認証結果取得手段とを更に備え、前記ユーザ一覧表示手段は、前記認証結果取得手段で取得した認証結果に従って、認証が失敗したと判定される場合に、ユーザの操作による認証に用いられる情報の入力において、前記ユーザ識別情報一覧を表示することを特徴とする。
【手続補正４】
【補正対象書類名】明細書
【補正対象項目名】００１２
【補正方法】変更
【補正の内容】
【００１２】
また、前記認証結果取得手段で取得した認証結果に従って、認証が失敗したと判定される場合に、前記記憶媒体を読み取ることで得られた記憶媒体識別情報を前記選択手段で選択されたユーザ識別情報と対応付けて登録することで、当該記憶媒体による画像形成装置の利用を可能にするべく、前記記憶媒体識別情報と前記ユーザ識別情報を含む登録要求を出力する登録要求手段を更に備えることを特徴とする。
【手続補正５】
【補正対象書類名】明細書
【補正対象項目名】００１３
【補正方法】変更
【補正の内容】
【００１３】
また、前記登録要求手段で登録要求の出力に従って、前記ユーザ識別情報一覧から、登録要求に含まれるユーザ識別情報を削除する削除手段を更に備えることを特徴とする。
【手続補正６】
【補正対象書類名】明細書
【補正対象項目名】００１４
【補正方法】変更
【補正の内容】
【００１４】
また、前記受信手段で受信したユーザ識別情報は、記憶媒体によるユーザの入室情報と、情報処理装置へのユーザのログイン情報とを比較することにより特定される、記憶媒体による入室情報のないユーザのユーザ識別情報であることを特徴とする。
【手続補正７】
【補正対象書類名】明細書
【補正対象項目名】００１５
【補正方法】変更
【補正の内容】
【００１５】
また、パスワードの入力を受け付けるパスワード入力手段を更に備え、前記第１の認証要求手段は、前記選択手段でユーザ識別情報一覧から選択されたユーザ識別情報と、前記パスワード入力手段で受け付けたパスワードを含む認証要求を前記サーバに送信することを特徴とする。
また、前記サーバは、ユーザの操作により画像形成装置に入力されたユーザ識別情報、又は、記憶媒体による認証を行うための認証装置であり、当該認証装置と通信可能に接続されることを特徴とする。